(57)【要約】【課題】スケジュールに応じたコンテンツを表示させる。【解決手段】重畳表示する対象のコンテンツを時間の変化に応じて変更するスケジュールを、特定の基準物の識別情報に対応付けて第１の記憶部に記憶する処理を受け付け、撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、特定した該コンテンツを前記撮像画像に重畳する対象のコンテンツとして、コンテンツを記憶する第２の記憶部から読み出して出力する、処理をコンピュータに実行させることを特徴とする重畳表示する対象のコンテンツ制御プログラムが提供される。【選択図】図３
2017117115.tif 000002
【特許請求の範囲】
【請求項１】
重畳表示する対象のコンテンツを時間の変化に応じて変更するスケジュールを、特定の基準物の識別情報に対応付けて第１の記憶部に記憶する処理を受け付け、
撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、
特定した該コンテンツを前記撮像画像に重畳する対象のコンテンツとして、コンテンツを記憶する第２の記憶部から読み出して出力する、
処理をコンピュータに実行させることを特徴とする重畳表示する対象のコンテンツ制御プログラム。
【請求項２】
前記スケジュールは、重畳表示する対象のコンテンツを所定の時間又は所定の日数で変更するスケジュールを含む、ことを特徴とする請求項１に記載のコンテンツ制御プログラム。
【請求項３】
前記コンテンツは、点検対象の設備に関する画像であり、
前記スケジュールは、１又は複数のコンテンツを含む第１のコンテンツ群を重畳表示の対象のコンテンツとする時間又は日と、前記第１のコンテンツ群に含まれない１又は複数のコンテンツを含む第２のコンテンツ群を重畳表示させる対象のコンテンツとする時間又は日とを含む、ことを特徴とする請求項１に記載のコンテンツ制御プログラム。
【請求項４】
前記スケジュールは、前記第１のコンテンツ群及び前記第２のコンテンツ群に含まれない１又は複数のコンテンツを含む第３のコンテンツ群を重畳表示させる対象のコンテンツとする時間又は日を含む、ことを特徴とする請求項３に記載のコンテンツ制御プログラム。
【請求項５】
重畳表示する対象のコンテンツを時間の変化に応じて変更するスケジュールを、特定の基準物の識別情報に対応付けて第１の記憶部に記憶する処理を受け付け、
撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、
特定した該コンテンツを前記撮像画像に重畳する対象のコンテンツとして、コンテンツを記憶する第２の記憶部から読み出して出力する、
処理をコンピュータが実行することを特徴とする重畳表示する対象のコンテンツ制御方法。
【請求項６】
重畳表示する対象のコンテンツを時間の変化に応じて変更するスケジュールを、特定の基準物の識別情報に対応付けて第１の記憶部に記憶する処理を受け付け、
撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、
特定した該コンテンツを前記撮像画像に重畳する対象のコンテンツとして、コンテンツを記憶する第２の記憶部から読み出して出力する、
処理を実行することを特徴とする重畳表示する対象のコンテンツ制御装置。
【請求項７】
コンテンツ表示装置であって、
カメラと、
重畳表示する対象のコンテンツを時間の変化に応じて変更するスケジュールを、特定の基準物の識別情報に対応付けて第１の記憶部に記憶する処理を受け付け、撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、特定した該コンテンツを前記撮像画像に重畳する対象のコンテンツとして、コンテンツを記憶する第２の記憶部から読み出して出力する、処理を実行するサーバに、前記カメラが撮像した画像を送信する送信部と、
前記サーバから前記コンテンツを受信して、前記撮像画像に前記コンテンツを重畳させた画像を表示するディスプレイと、
を有することを特徴とするコンテンツ表示装置。
【発明の詳細な説明】
【技術分野】
【０００１】
本発明は、コンテンツ制御プログラム、コンテンツ制御方法、コンテンツ制御装置、及びコンテンツ表示装置に関する。
【背景技術】
【０００２】
スマートフォンやタブレット端末等に設けられたカメラにより撮像された画像を用いた拡張現実（Augmented  Reality：ＡＲ）と呼ばれる技術が知られている。ＡＲ技術では、現実空間を撮像した画像から認識されたＡＲマーカに基づいて、当該画像にコンテンツを重畳して表示させる。
【０００３】
また、例えば、工場内に設置された機器や設備（以降、「設備等」と表す。）の点検作業において、ＡＲ技術を利用して、作業手順や設備等に関する情報等のコンテンツを重畳して表示させることで、作業支援を行う技術が知られている。
【先行技術文献】
【特許文献】
【０００４】
【特許文献１】特表２０１３−５４１７９０号公報
【発明の概要】
【発明が解決しようとする課題】
【０００５】
ここで、点検作業には、例えば、日次点検、週次点検、月次点検等があり、予め定められた作業日程に従って実施される。また、日次点検、週次点検、月次点検等に応じて点検作業の作業内容が異なる場合がある。
【０００６】
このため、例えば、日次点検と週次点検の両方の点検作業を実施することがスケジュールされている場合、それぞれの作業内容に対応するコンテンツを表示させる必要がある。しかしながら、上記の従来技術では、例えば、日次点検と週次点検の両方の点検作業がスケジュールされている場合に、点検作業のスケジュールに応じたコンテンツを表示させることができなかった。
【０００７】
一側面では、本発明は、スケジュールに応じたコンテンツを表示させることを目的とする。
【課題を解決するための手段】
【０００８】
一つの案では、重畳表示する対象のコンテンツを時間の変化に応じて変更するスケジュールを、特定の基準物の識別情報に対応付けて第１の記憶部に記憶する処理を受け付け、撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、特定した該コンテンツを前記撮像画像に重畳する対象のコンテンツとして、コンテンツを記憶する第２の記憶部から読み出して出力する、処理をコンピュータに実行させることを特徴とする重畳表示する対象のコンテンツ制御プログラムが提供される。
【発明の効果】
【０００９】
一側面によれば、スケジュールに応じたコンテンツを表示させることができる。
【図面の簡単な説明】
【００１０】
【図１】第一の実施形態に係る作業支援システムの一例を示す図である。
【図２】作業予定の登録からスケジュール作成について説明する図である。
【図３】スケジュールに応じたコンテンツの表示について説明する図である。
【図４】第一の実施形態に係る作業支援システムのハードウェア構成の一例を示す図である。
【図５】第一の実施形態に係る作業支援システムの機能構成の一例を示す図である。
【図６】作業区分情報の構成の一例を示す図である。
【図７】コンテンツ情報の構成の一例を示す図である。
【図８】第一の実施形態に係る作業予定の登録処理の一例を示すシーケンス図である。
【図９】作業予定の登録画面の一例を示す図である。
【図１０】作業予定情報の一例を示す図である。
【図１１】第一の実施形態に係るスケジュール情報の作成処理の一例を示すフローチャートである。
【図１２】スケジュール情報の一例を示す図である。
【図１３】第一の実施形態に係るコンテンツの表示処理の一例を示すシーケンス図である。
【図１４】表示されるコンテンツの一例を示す図である。
【図１５】第二の実施形態に係る作業支援システムの機能構成の一例を示す図である。
【図１６】作業区分情報の構成の他の例を示す図である。
【図１７】第二の実施形態に係るスケジュール情報の作成処理の一例を示すフローチャートである。
【図１８】スケジュール情報の他の例を示す図である。
【図１９】表示されるコンテンツの他の例を示す図である。
【発明を実施するための形態】
【００１１】
以下、本発明の実施形態について添付の図面を参照しながら説明する。
【００１２】
（第一の実施形態）
まず、第一の実施形態に係る作業支援システム１のシステム構成について、図１を参照しながら説明する。図１は、第一の実施形態に係る作業支援システムの一例を示す図である。
【００１３】
図１に示す作業支援システム１は、管理サーバ１０と、登録端末２０と、作業端末３０とを有し、ネットワークＮを介して通信可能に接続されている。なお、ネットワークＮは、例えばＬＡＮ（Local  Area  Network）や電話回線網、インターネット等であり、全部又は一部が無線であっても良い。
【００１４】
管理サーバ１０は、例えば、１以上の情報処理装置が含まれるサーバ装置である。管理サーバ１０には、作業端末３０を用いた設備等の点検作業を支援するための支援プログラム４０が搭載（インストール）されている。
【００１５】
管理サーバ１０は、支援プログラム４０により、登録端末２０により登録された作業予定に基づいて、ＡＲ技術を利用したコンテンツを作業端末３０に表示させるためのスケジュールを作成する。そして、管理サーバ１０は、支援プログラム４０により、点検対象の設備等に貼り付け等されたＡＲマーカ（基準物）を作業端末３０が認識したことに応じて、当該ＡＲマーカに対応するスケジュールに応じたコンテンツを、当該作業端末３０が撮像した画像（撮像画像）に重畳表示させる。
【００１６】
ここで、コンテンツとは、作業端末３０の撮像画像に重畳表示される画像（例えば、アイコン）やテキスト等である。このため、作業端末３０のユーザ（作業担当者）は、例えば、作業手順や設備等に関する情報等を示すコンテンツを参照しながら点検作業に行うことができるようになる。
【００１７】
なお、コンテンツは、画像やテキストに限られず、例えば、音声等であっても良い。また、画像は、２次元画像（２Ｄ画像）に限られず、例えば、３次元画像（３Ｄ画像）等であっても良い。さらに、画像は、静止画に限られず、動画であっても良い。
【００１８】
登録端末２０は、例えば、デスクトップ型ＰＣ（パーソナルコンピュータ）やノート型ＰＣ、スマートフォン、タブレット端末等の端末装置である。登録端末２０には、点検作業の作業予定を管理サーバ１０に登録するための登録プログラム５０が搭載されている。
【００１９】
登録端末２０のユーザ（例えば、作業管理者）は、登録プログラム５０により、点検作業の作業予定を作成し、管理サーバ１０に登録することができる。
【００２０】
なお、本実施形態では、点検作業には、日次の点検作業、週次の点検作業、及び月次の点検作業があり、例えば、作業管理者は、それぞれの作業予定（点検予定）を月単位で登録する。ただし、点検作業には、例えば、年次点検等が含まれても良い。また、点検予定は、例えば、日単位や週単位、年単位等で登録するものとしても良い。
【００２１】
作業端末３０は、例えば、スマートフォン、タブレット端末等の携帯可能な端末装置である。作業端末３０には、管理サーバ１０からコンテンツを取得して、当該取得したコンテンツを撮像画像に重畳表示させるための表示制御プログラム６０が搭載されている。
【００２２】
作業端末３０のユーザ（作業担当者）は、表示制御プログラム６０により、設備等の点検作業の際に、当該設備等に貼り付け等されたＡＲマーカを撮像することで、撮像画像にコンテンツを重畳表示させることができる。これにより、作業端末３０のユーザ（作業担当者）は、表示されたコンテンツを参照しながら点検作業を行うことができる。
【００２３】
ここで、本実施形態に係る作業支援システム１において、登録端末２０のユーザＵが管理サーバ１０に作業予定を登録して、管理サーバ１０でスケジュールを作成する場合について、図２を参照しながら説明する。図２は、作業予定の登録からスケジュール作成について説明する図である。
【００２４】
図２に示すように、作業管理者等のユーザＵは、登録端末２０の登録プログラム５０により、設備Ａ（ＡＲマーカＩＤ：「ｘｘｘ」）の９月度の点検作業の作業予定を示す作業予定情報７１を作成する。ここで、作業予定情報７１は、日付毎に、日次、週次、月次の点検作業を行うか否かが設定されている。なお、ＡＲマーカＩＤとは、ＡＲマーカ（基準物）を一意に識別する識別情報である。
【００２５】
例えば、作業予定情報７１において、「９／１（火）」には、日次「○」、週次「−」、月次「−」が設定されている。これは、９月１日（火）には、日次の点検作業を行うことを示している。
【００２６】
同様に、例えば、作業予定情報７１において、「９／２（水）」には、日次「○」、週次「○」、月次「−」が設定されている。これは、９月２日（水）には、日次の点検作業と、週次の点検作業とを行うことを示している。
【００２７】
作業管理者等のユーザＵは、登録端末２０の登録プログラム５０により、作成した作業予定情報７１を管理サーバ１０に登録する。すると、管理サーバ１０は、支援プログラム４０により、当該作業予定情報７１を保存するとともに、当該作業予定情報７１に基づいてスケジュール情報７２を作成する。
【００２８】
スケジュール情報７２は、ＡＲマーカＩＤと対応付けられており、日付毎に、当該ＡＲマーカＩＤのＡＲマーカを認識した作業端末３０に表示させるコンテンツのコンテンツＩＤが設定されている。
【００２９】
例えば、スケジュール情報７２において、「９／１（火）」には、コンテンツＩＤ「Ｃ００１」が設定されている。これは、９月１日（火）の点検作業において作業端末３０がＡＲマーカＩＤ「ｘｘｘ」のＡＲマーカを認識した場合、撮像画像に、コンテンツＩＤ「Ｃ００１」のコンテンツを重畳表示させることを示している。
【００３０】
同様に、例えば、スケジュール情報７２において、「９／３（水）」には、コンテンツＩＤ「Ｃ００１」及び「Ｃ００２」が設定されている。これは、９月２日（水）の点検作業において作業端末３０がＡＲマーカ「ｘｘｘ」のＡＲマーカを認識した場合、撮像画像に、コンテンツＩＤ「Ｃ００１」のコンテンツと、コンテンツＩＤ「Ｃ００２」のコンテンツとを重畳表示させることを示している。
【００３１】
このように、本実施形態に係る管理サーバ１０は、登録端末２０から登録された作業予定に基づいて、作業端末３０が撮像した画像に重畳表示させるコンテンツのスケジュールを作成する。
【００３２】
次に、本実施形態に係る作業支援システム１において、管理サーバ１０に登録されたスケジュールに応じたコンテンツを、作業端末３０が撮像した画像に重畳表示させる場合について、図３を参照しながら説明する。図３は、スケジュールに応じたコンテンツの表示について説明する図である。
【００３３】
図３に示すように、作業担当者等のユーザＷは、例えば設備Ａの点検作業を行うために、作業端末３０の表示制御プログラム６０により、当該設備Ａに貼り付け等されたＡＲマーカ７３を撮像して、当該ＡＲマーカ７３のＡＲマーカＩＤを取得する。そして、作業端末３０は、表示制御プログラム６０により、取得したＡＲマーカＩＤを管理サーバ１０に送信する。
【００３４】
すると、管理サーバ１０は、支援プログラム４０により、受信したＡＲマーカＩＤに対応するスケジュール情報７２において、点検作業日のコンテンツＩＤを特定し、当該特定したコンテンツＩＤのコンテンツを作業端末３０に返信する。
【００３５】
これにより、作業端末３０は、表示制御プログラム６０により、撮像画像に、管理サーバ１０から返信されたコンテンツが重畳表示される。
【００３６】
例えば、点検作業日が「９／２（水）」である場合、管理サーバ１０は、日次の点検作業を支援するためのコンテンツＩＤ「Ｃ００１」のコンテンツと、週次の点検作業を支援するためのコンテンツＩＤ「Ｃ００２」のコンテンツとを作業端末３０に返信する。
【００３７】
したがって、この場合、作業端末３０には、コンテンツＩＤ「Ｃ００１」のコンテンツに含まれるテキスト８１及び画像８２と、コンテンツＩＤ「Ｃ００２」のコンテンツに含まれるテキスト９１及び画像９２とを撮像画像に重畳させた重畳画像７４が表示される。
【００３８】
このように、本実施形態に係る管理サーバ１０は、作業端末３０からＡＲマーカＩＤを取得すると、当該ＡＲマーカＩＤに対応するスケジュールに応じたコンテンツを作業端末３０に返信する。これにより、本実施形態に係る作業端末３０では、スケジュールに応じたコンテンツを撮像画像に重畳表示させることができる。
【００３９】
このため、本実施形態に係る作業支援システム１では、例えば、日次と週次の点検作業を同日に実施する場合、日次の点検作業を支援するためのコンテンツと、週次の点検作業を支援するためのコンテンツとを作業端末３０に重畳表示させることができる。
【００４０】
次に、第一の実施形態に係る作業支援システム１のハードウェア構成について、図４を参照しながら説明する。図４は、第一の実施形態に係る作業支援システムのハードウェア構成の一例を示す図である。
【００４１】
まず、管理サーバ１０及び登録端末２０のハードウェア構成について説明する。なお、管理サーバ１０及び登録端末２０は、同様のハードウェア構成を有するため、以降では、主に、管理サーバ１０のハードウェア構成について、図４（ａ）を参照しながら説明する。
【００４２】
図４（ａ）に示すように、管理サーバ１０は、入力装置１１と、表示装置１２と、外部Ｉ／Ｆ１３と、ＲＡＭ（Random  Access  Memory）１４とを有する。また、管理サーバ１０は、ＲＯＭ（Read  Only  Memory）１５と、ＣＰＵ（Central  Processing  Unit）１６と、通信Ｉ／Ｆ１７と、記憶装置１８とを有する。これらの各ハードウェアは、それぞれバスＢ１で相互に接続されている。
【００４３】
入力装置１１は、キーボードやマウス、タッチパネル等を含み、管理サーバ１０に各種の操作信号を入力するのに用いられる。表示装置１２は、ディスプレイ等であり、各種の処理結果を表示する。なお、管理サーバ１０は、入力装置１１及び／又は表示装置１２を必要なときにバスＢ１に接続して利用する形態であっても良い。
【００４４】
外部Ｉ／Ｆ１３は、外部装置とのインタフェースである。外部装置には、記録媒体１３ａ等がある。これにより、管理サーバ１０は、外部Ｉ／Ｆ１３を介して記録媒体１３ａの読み取り及び／又は書き込みを行うことができる。なお、記録媒体１３ａには、例えば、ＳＤメモリカード(SD  memory  card）やＵＳＢメモリ等がある。記録媒体１３ａには、これら以外にも、例えば、ＣＤ（Compact  Disk）やＤＶＤ（Digital  Versatile  Disk）等が用いられても良い。
【００４５】
ＲＡＭ１４は、プログラムやデータを一時保存する揮発性の半導体メモリである。ＲＯＭ１５は、電源を切ってもデータを保持することができる不揮発性の半導体メモリである。ＣＰＵ１６は、例えば記憶装置１８やＲＯＭ１５等からプログラムやデータを読み出して、各種の処理を実行する演算装置である。
【００４６】
通信Ｉ／Ｆ１７は、管理サーバ１０をネットワークＮに接続するためのインタフェースである。記憶装置１８は、プログラムやデータを格納している不揮発性のメモリである。記憶装置１８に格納されるプログラムやデータには、基本ソフトウェアであるＯＳ（Operating  System）や各種プログラム（例えば、支援プログラム４０や登録プログラム５０）等がある。
【００４７】
本実施形態に係る管理サーバ１０及び登録端末２０は、図４（ａ）に示すハードウェア構成により、後述する各種処理が実現される。
【００４８】
次に、作業端末３０のハードウェア構成について、図４（ｂ）を参照しながら説明する。図４（ｂ）に示すように、作業端末３０は、入力装置３１と、表示装置３２と、外部Ｉ／Ｆ３３と、ＲＡＭ３４とを有する。また、作業端末３０は、ＲＯＭ３５と、ＣＰＵ３６と、通信Ｉ／Ｆ３７と、記憶装置３８と、カメラ装置３９とを有する。これらの各ハードウェアは、それぞれバスＢ２で相互に接続されている。
【００４９】
入力装置３１は、タッチパネル等であり、作業端末３０に各種の操作信号を入力するのに用いられる。表示装置３２は、ディスプレイ等であり、各種の処理結果を表示する。
【００５０】
外部Ｉ／Ｆ３３は、外部装置とのインタフェースである。外部装置には、記録媒体３３ａ等がある。これにより、作業端末３０は、外部Ｉ／Ｆ３３を介して記録媒体３３ａの読み取り及び／又は書き込みを行うことができる。なお、記録媒体１３ａには、例えば、ＳＤメモリカードやＵＳＢメモリ等がある。
【００５１】
ＲＡＭ３４は、プログラムやデータを一時保存する揮発性の半導体メモリである。ＲＯＭ３５は、電源を切ってもデータを保持することができる不揮発性の半導体メモリである。ＣＰＵ３６は、例えば記憶装置３８やＲＯＭ３５等からプログラムやデータを読み出して、各種の処理を実行する演算装置である。
【００５２】
通信Ｉ／Ｆ３７は、作業端末３０をネットワークＮに接続するためのインタフェースである。記憶装置３８は、プログラムやデータを格納している不揮発性のメモリである。記憶装置３８に格納されるプログラムやデータには、基本ソフトウェアであるＯＳや各種プログラム（例えば、表示制御プログラム６０）等がある。カメラ装置３９は、撮像により画像データを生成する。
【００５３】
本実施形態に係る作業端末３０は、図４（ｂ）に示すハードウェア構成により、後述する各種処理が実現される。
【００５４】
次に、第一の実施形態に係る作業支援システム１の機構構成について、図５を参照しながら説明する。図５は、第一の実施形態に係る作業支援システムの機能構成の一例を示す図である。
【００５５】
管理サーバ１０は、登録部１０１と、スケジュール作成処理部１０２と、スケジュール取得部１０３と、コンテンツ特定部１０４と、コンテンツ取得部１０５とを有する。これら各部は、管理サーバ１０に搭載された支援プログラム４０が、ＣＰＵ１６に実行させる処理により実現される。
【００５６】
また、管理サーバ１０は、作業予定記憶部１２１と、作業区分記憶部１２２と、スケジュール記憶部１２３と、コンテンツ記憶部１２４とを有する。これら各記憶部は、記憶装置１８を用いて実現可能である。なお、これら各記憶部は、管理サーバ１０とネットワークＮを介して接続された記憶装置等を用いて実現されても良い。
【００５７】
登録部１０１は、登録端末２０からの要求に応じて、点検作業の作業予定を示す作業予定情報を作業予定記憶部１２１に記憶させる。
【００５８】
スケジュール作成処理部１０２は、登録部１０１により記憶された作業予定情報に基づいて、作業端末３０に重畳表示させるコンテンツのスケジュールを示すスケジュール情報を作成する。ここで、スケジュール作成処理部１０２は、区分判定部１１１と、コンテンツＩＤ取得部１１２と、スケジュール作成部１１３とを有する。
【００５９】
区分判定部１１１は、作業予定情報に含まれる日付毎に、２以上の作業区分の点検作業が設定されているか否かを判定する。なお、作業区分とは、日次の点検作業、週次の点検作業、又は月次の点検作業のいずれであるかを示す情報である。
【００６０】
コンテンツＩＤ取得部１１２は、作業区分記憶部１２２に記憶される作業区分情報を参照して、作業予定情報に含まれる日付毎に、当該日付に設定されている作業区分に対応するコンテンツＩＤを取得する。なお、作業区分記憶部１２２に記憶される作業区分情報の詳細については後述する。
【００６１】
スケジュール作成部１１３は、作業予定情報に含まれる日付毎に、コンテンツＩＤ取得部１１２により取得されたコンテンツＩＤをＡＲマーカＩＤと対応付けて、スケジュール情報を作成する。そして、スケジュール作成部１１３は、作成したスケジュール情報をスケジュール記憶部１２３に記憶させる。
【００６２】
スケジュール取得部１０３は、作業端末３０からの要求に応じて、当該要求に含まれるＡＲマーカＩＤと対応付けられたスケジュール情報をスケジュール記憶部１２３から取得する。
【００６３】
コンテンツ特定部１０４は、スケジュール取得部１０３により取得されたスケジュール情報に基づいて、表示対象のコンテンツのコンテンツＩＤを特定する。すなわち、コンテンツ特定部１０４は、スケジュール取得部１０３により取得されたスケジュール情報において、点検作業日（本日の日付）に設定されたコンテンツＩＤのコンテンツを表示対象のコンテンツと特定する。
【００６４】
コンテンツ取得部１０５は、コンテンツ特定部１０４により特定されたコンテンツＩＤにより示されるコンテンツ情報をコンテンツ記憶部１２４から取得する。そして、コンテンツ取得部１０５は、取得したコンテンツ情報を作業端末３０に送信する。
【００６５】
これにより、作業端末３０では、管理サーバ１０から受信したコンテンツ情報に基づくコンテンツが、撮像画像に重畳して表示される。なお、コンテンツ記憶部１２４に記憶されるコンテンツ情報の詳細については後述する。
【００６６】
ここで、作業区分記憶部１２２に記憶される作業区分情報の詳細について、図６を参照しながら説明する。図６は、作業区分情報の構成の一例を示す図である。
【００６７】
作業区分記憶部１２２に記憶される作業区分情報は、データ項目として、作業区分と、コンテンツＩＤとを有する。図６に示すように、作業区分記憶部１２２に記憶される作業区分情報は、作業区分とコンテンツＩＤとが対応付けられた情報である。
【００６８】
例えば、作業区分「日次」には、コンテンツＩＤ「Ｃ００１」が対応付けられている。これは、日次の点検作業が行われる場合には、作業端末３０により撮像された画像に、コンテンツＩＤ「Ｃ００１」のコンテンツを重畳表示させることを示している。すなわち、コンテンツＩＤ「Ｃ００１」のコンテンツは、例えば、日次の点検作業における点検手順を示すコンテンツや日次の点検作業に用いる各種情報を示すコンテンツ等、日次の点検作業を支援するためのコンテンツである。
【００６９】
同様に、作業区分「週次」には、コンテンツＩＤ「Ｃ００２」が対応付けられている。これは、週次の点検作業が行われる場合には、作業端末３０により撮像された画像に、コンテンツＩＤ「Ｃ００２」のコンテンツを重畳表示させることを示している。すなわち、コンテンツＩＤ「Ｃ００２」のコンテンツは、例えば、週次の点検作業における点検手順を示すコンテンツや週次の点検作業に用いる各種情報を示すコンテンツ等、週次の点検作業を支援するためのコンテンツである。作業区分「月次」についても同様である。
【００７０】
また、コンテンツ記憶部１２４に記憶されるコンテンツ情報の詳細について、図７を参照しながら説明する。図７は、コンテンツ情報の構成の一例を示す図である。
【００７１】
コンテンツ記憶部１２４に記憶されるコンテンツ情報は、データ項目として、コンテンツＩＤと、表示対象コンテンツと、表示位置とを有する。
【００７２】
コンテンツＩＤは、コンテンツ情報を一意に識別する識別情報である。表示対象コンテンツは、作業端末３０により撮像された画像に重畳表示させる１以上のコンテンツ（すなわち、コンテンツ群）である。表示位置は、作業端末３０により撮像された画像にコンテンツを重畳表示させる位置の座標（ＡＲマーカの位置からの相対座標）である。
【００７３】
例えば、コンテンツＩＤ「Ｃ００１」には、「画像データ１」や「テキストデータ１」等の表示対象コンテンツが対応付けられている。また、「画像データ１」及び「テキストデータ１」等には、それぞれ、表示位置「ｘ（１，１），ｙ（１，１）」及び「ｘ（２，１），ｙ（２，１）」が対応付けられている。
【００７４】
これにより、本実施形態に係る作業端末３０は、管理サーバ１０から返信されたコンテンツ情報に基づいて、ＡＲマーカの位置座標から表示位置により示される座標に、表示対象コンテンツを重畳表示させることができる。
【００７５】
登録端末２０は、作成部２０１と、登録要求部２０２とを有する。これら各部は、登録端末２０に搭載された登録プログラム５０が、ＣＰＵ１６に実行させる処理により実現される。
【００７６】
作成部２０１は、作業管理者等のユーザの操作に応じて、作業予定情報を作成する。登録要求部２０２は、作成部２０１により作成された作業予定情報の登録要求を管理サーバ１０に送信する。
【００７７】
作業端末３０は、カメラ制御部３０１と、表示制御部３０２と、マーカ検出部３０３と、情報取得部３０４と、取得要求部３０５とを有する。これら各部は、作業端末３０に搭載された表示制御プログラム６０が、ＣＰＵ３６に実行させる処理により実現される。
【００７８】
カメラ制御部３０１は、作業担当者等のユーザの操作に応じて、カメラ装置３９を起動させて、当該カメラ装置３９の撮像範囲の画像データ（撮像画像データ）を生成する。
【００７９】
表示制御部３０２は、カメラ制御部３０１により生成された撮像画像データに基づく撮像画像を表示装置３２に表示させる。
【００８０】
また、表示制御部３０２は、管理サーバ１０から受信したコンテンツ情報に基づいて、当該コンテンツ情報に基づくコンテンツを撮像画像に重畳表示させる。
【００８１】
マーカ検出部３０３は、カメラ制御部３０１により生成された撮像画像データに基づく撮像画像にＡＲマーカ（基準物）が含まれる場合、当該ＡＲマーカを検出する。
【００８２】
情報取得部３０４は、マーカ検出部３０３により検出されたＡＲマーカから所定の情報を取得する。ここで、所定の情報には、ＡＲマーカを一意に識別するＡＲマーカＩＤと、当該ＡＲマーカの位置を示す座標（位置座標）とが含まれる。
【００８３】
取得要求部３０５は、情報取得部３０４により所定の情報が取得されると、撮像画像に重畳表示させるコンテンツの取得要求を管理サーバ１０に送信する。なお、当該取得要求には、情報取得部３０４により取得されたＡＲマーカＩＤが含まれる。
【００８４】
次に、第一の実施形態に係る作業支援システム１において、作業管理者等のユーザＵが登録端末２０を用いて作業予定情報を作成して、管理サーバ１０に登録する処理について、図８を参照しながら説明する。図８は、第一の実施形態に係る作業予定の登録処理の一例を示すシーケンス図である。
【００８５】
まず、ユーザＵは、登録端末２０を用いて、作業予定の作成操作を行う（ステップＳ８０１）。すなわち、ユーザＵは、登録端末２０の表示装置１２に、例えば図９に示す作業予定の登録画面１０００を表示させて、当該作業予定の登録画面１０００において作業予定を作成する。
【００８６】
図９に示す作業予定の登録画面１０００には、月単位の作業予定欄１０１０と、作業予定の登録ボタン１０２０とが含まれる。ユーザＵは、作業予定欄１０１０において、日付毎に、点検作業を行う作業区分（日次、週次、月次）を指定して、作業予定を作成する。例えば、９月２日（水）に日次の点検作業と週次の点検作業を実施する場合、ユーザＵは、「９／２（水）」の「日次」欄と「週次」欄に、点検作業を実施することを示す「○」を設定する。
【００８７】
なお、図９に示す作業予定の登録画面１０００では、例えば、作業対象の設備名、当該設備名の設備に貼り付け等されたＡＲマーカのＡＲマーカＩＤ等も指定される。また、これら以外に、点検作業の作業項目等が指定されても良い。
【００８８】
また、図９に示す作業予定の登録画面１０００では、日付毎（すなわち、２４時間毎）に点検作業を行う作業区分を指定したが、これに限られず、所定の時間毎に点検作業を行う作業区分を指定しても良い。
【００８９】
すなわち、例えば、１日を午前と午後とに分けて、１２時間毎に点検作業を行う作業区分を指定することができても良い。また、例えば、作業担当者が３交代制である場合等には、８時間毎に点検作業を行う作業区分を指定することができても良い。さらに、例えば、２日毎（すなわち、４８時間毎）や３日毎（すなわち、７２時間毎）等、所定の日数毎に点検作業を行う作業区分を指定することができても良い。
【００９０】
次に、登録端末２０の作成部２０１は、ユーザＵによる作業予定の作成操作を受け付けると、作成された作業予定に基づき作業予定情報を作成する（ステップＳ８０２）。すなわち、例えば、作業予定の登録画面１０００の作業予定欄１０１０で作業予定が作成された上で、ユーザＵにより登録ボタン１０２０が押下されると、作成部２０１は、例えば図１０に示す作業予定情報２０００を作成する。
【００９１】
図１０に示す作業予定情報２０００では、作業予定の登録画面１０００の作業予定欄１０１０において作成された９月度の日付毎の作業予定と、ＡＲマーカＩＤ「ｘｘｘ」とが対応付けられている。以降では、ステップＳ８０２において、作成部２０１により作業予定情報２０００が作成されたものとして説明を続ける。
【００９２】
次に、登録端末２０の登録要求部２０２は、作成部２０１により作業予定情報２０００が作成されると、作業予定の登録要求を管理サーバ１０に送信する（ステップＳ８０３）。なお、当該登録要求には、ステップＳ８０２で作成された作業予定情報２０００が含まれる。
【００９３】
次に、管理サーバ１０の登録部１０１は、登録端末２０から作業予定の登録要求を受信すると、当該登録要求に含まれる作業予定情報２０００を作業予定記憶部１２１に記憶させる（ステップＳ８０４）。これにより、管理サーバ１０に作業予定情報２０００が登録される。
【００９４】
続いて、管理サーバ１０のスケジュール作成処理部１０２は、ステップＳ８０４で登録された作業予定情報２０００に基づいてスケジュール情報を作成し、作成したスケジュール情報をスケジュール記憶部１２３に記憶させる（ステップＳ８０５）。これにより、管理サーバ１０に作業予定情報２０００に基づくスケジュール情報が登録される。そして、管理サーバ１０のスケジュール作成処理部１０２は、作業予定情報２０００が登録されたことを示す登録結果を登録端末２０に送信する。
【００９５】
なお、図８では、作業予定情報２０００を新規に作成して、当該作業予定情報２０００に基づくスケジュール情報を登録する場合について説明したが、管理サーバ１０に登録されている作業予定情報２０００を更新する場合についても同様の処理で行うことができる。
【００９６】
ここで、上記のステップＳ８０５におけるスケジュール情報の作成処理の詳細について、図１１を参照しながら説明する。図１１は、第一の実施形態に係るスケジュール情報の作成処理の一例を示すフローチャートである。
【００９７】
まず、スケジュール作成処理部１０２は、作業予定情報２０００における列（例えば、日付）を示す変数Ｎを１とする（ステップＳ１１０１）。
【００９８】
次に、区分判定部１１１は、作業予定情報２０００のＮ列目に、作業予定が設定されているか否かを判定する（ステップＳ１１０２）。すなわち、区分判定部１１１は、作業予定情報２０００のＮ列目に、「日次」、「週次」、又は「月次」のいずれかの作業区分が設定されているか否かを判定する。
【００９９】
ステップＳ１１０２において、作業予定情報２０００のＮ列目に作業予定が設定されていると判定された場合、区分判定部１１１は、当該Ｎ列目に２以上の作業区分が設定されているか否かを判定する（ステップＳ１１０３）。
【０１００】
ステップＳ１１０２において、作業予定情報２０００のＮ列目に作業予定が設定されていないと判定された場合、スケジュール作成処理部１０２は、ステップＳ１１０７に進む。
【０１０１】
ステップＳ１１０３において、Ｎ列目に２以上の作業区分が設定されていると判定された場合、コンテンツＩＤ取得部１１２は、作業区分記憶部１２２を参照して、すべての作業区分に対応付けられたコンテンツＩＤを取得する（ステップＳ１１０４）。
【０１０２】
例えば、Ｎ＝２である場合、作業予定情報２０００の２列目には、作業区分「日次」、「週次」が設定されている。したがって、コンテンツＩＤ取得部１１２は、作業区分記憶部１２２の作業区分情報において、作業区分「日次」に対応付けられたコンテンツＩＤ「Ｃ００１」と、作業区分「週次」に対応付けられたコンテンツＩＤ「Ｃ００２」とを取得する。
【０１０３】
ステップＳ１１０３において、Ｎ列目に２以上の作業区分が設定されていないと判定された場合、コンテンツＩＤ取得部１１２は、作業区分記憶部１２２を参照して、作業区分に対応付けられたコンテンツＩＤを取得する（ステップＳ１１０５）。
【０１０４】
例えば、Ｎ＝１である場合、作業予定情報２０００の１列目には、作業区分「日次」が設定されている。したがって、コンテンツＩＤ取得部１１２は、作業区分記憶部１２２の作業区分情報において、作業区分「日次」に対応付けられたコンテンツＩＤ「Ｃ００１」を取得する。
【０１０５】
続いて、スケジュール作成部１１３は、コンテンツＩＤ取得部１１２により取得されたコンテンツＩＤをＮ列目のコンテンツＩＤとして、作業予定情報２０００に含まれるＡＲマーカＩＤと対応付ける（ステップＳ１１０６）。
【０１０６】
例えば、Ｎ＝１である場合、スケジュール作成部１１３は、コンテンツＩＤ取得部１１２により取得されたコンテンツＩＤ「Ｃ００１」を１列目のコンテンツＩＤとして、作業予定情報２０００に含まれるＡＲマーカＩＤ「ｘｘｘ」と対応付ける。
【０１０７】
同様に、例えば、Ｎ＝２である場合、スケジュール作成部１１３は、コンテンツＩＤ取得部１１２により取得されたコンテンツＩＤ「Ｃ００１」及び「Ｃ００２」を２列目のコンテンツＩＤとして、ＡＲマーカＩＤ「ｘｘｘ」と対応付ける。
【０１０８】
続いて、スケジュール作成処理部１０２は、Ｎが最終列であるか否かを判定する（ステップＳ１１０７）。すなわち、スケジュール作成処理部１０２は、作業予定情報２０００に次の列が含まれるか否かを判定する。
【０１０９】
ステップＳ１１０７において、Ｎが最終列でないと判定された場合、スケジュール作成処理部１０２は、Ｎに１を加えて、ステップＳ１１０２に戻る（ステップＳ１１０８）。
【０１１０】
ステップＳ１１０７において、Ｎが最終列であると判定された場合、スケジュール作成処理部１０２は、処理を終了させる。
【０１１１】
以上により、本実施形態に係る管理サーバ１０において、作業予定情報に基づいてスケジュール情報が作成される。例えば、本実施形態に係る管理サーバ１０において、作業予定情報２０００に基づいて、図１２に示すスケジュール情報２１００が作成される。
【０１１２】
図１２に示すスケジュール情報２１００は、９月度の日付毎のコンテンツＩＤと、ＡＲマーカＩＤ「ｘｘｘ」とが対応付けられている。言い換えれば、スケジュール情報２１００は、作業予定情報２０００の日付毎に設定されている作業区分を、当該作業区分に対応するコンテンツＩＤに変換したものである。
【０１１３】
これにより、本実施形態に係る作業支援システム１では、後述するように、作業端末３０を用いて設備等の点検作業を行う際に、当該点検作業を支援するためのコンテンツがスケジュール情報２１００に従って取得される。したがって、本実施形態に係る作業支援システム１では、作業端末３０において、スケジュール情報２１００に従って取得されたコンテンツを重畳表示させることができる。
【０１１４】
次に、第一の実施形態に係る作業支援システム１において、作業担当者等のユーザＷが作業端末３０を用いて設備等の点検作業を行う際に、当該点検作業を支援するためのコンテンツを重畳表示させる処理について、図１３を参照しながら説明する。図１３は、第一の実施形態に係るコンテンツの表示処理の一例を示すシーケンス図である。
【０１１５】
まず、ユーザＷは、設備等に貼り付け等されたＡＲマーカを撮像するための開始操作を行う（ステップＳ１３０１）。すなわち、ユーザＷは、例えば、ＡＲマーカを読み取るための所定のモードを選択してカメラ装置３９を起動させる操作を行う。
【０１１６】
作業端末３０のカメラ制御部３０１は、ユーザＷによる開始操作を受け付けると、カメラ装置３９を起動させる（ステップＳ１３０１）。
【０１１７】
なお、カメラ装置３９が起動されると、カメラ制御部３０１は、所定の時間毎に、当該カメラ装置３９の撮像範囲内の撮像画像データを生成する。そして、表示制御部３０２は、カメラ制御部３０１により生成された撮像画像データに基づく撮像画像を表示装置３２に表示させる。
【０１１８】
ここで、ユーザＷは、作業端末３０のカメラ装置３９の撮像範囲内に、設備等に貼り付け等されたＡＲマーカが入るように操作したものとする。すなわち、カメラ制御部３０９により生成された撮像画像データに基づく撮像画像にＡＲマーカが含まれるように、ユーザＷは、例えば、作業端末３０を移動させたり、カメラ装置３９の撮像範囲の調整を行ったものとする。
【０１１９】
すると、作業端末３０のマーカ検出部３０３は、生成された撮像画像データに基づく撮像画像に含まれるＡＲマーカを検出する。そして、作業端末３０の情報取得部３０４は、マーカ検出部３０３により検出されたＡＲマーカから所定の情報を取得する（ステップＳ１３０３）。
【０１２０】
ここで、所定の情報には、ＡＲマーカＩＤと、ＡＲマーカの位置を示す位置座標とが含まれる。
【０１２１】
次に、作業端末３０の取得要求部３０５は、撮像画像により示される撮像画像に重畳表示させるコンテンツの取得要求を管理サーバ１０に送信する（ステップＳ１３０４）。なお、当該取得要求には、ステップＳ１３０３で取得されたＡＲマーカＩＤが含まれる。
【０１２２】
次に、管理サーバ１０のスケジュール取得部１０３は、作業端末３０からコンテンツの取得要求を受信すると、当該取得要求に含まれるＡＲマーカＩＤと対応付けられたスケジュール情報をスケジュール記憶部１２３から取得する（ステップＳ１３０５）。
【０１２３】
例えば、コンテンツの取得要求に含まれるＡＲマーカＩＤが「ｘｘｘ」である場合、スケジュール取得部１０３は、図１２に示すスケジュール情報２１００をスケジュール記憶部１２３から取得する。なお、以降では、スケジュール取得部１０３によりスケジュール情報２１００が取得されたものとして説明する。
【０１２４】
続いて、管理サーバ１０のコンテンツ特定部１０４は、スケジュール取得部１０３により取得されたスケジュール情報２１００において、本日の日付に設定されたコンテンツＩＤを特定する。そして、コンテンツ取得部１０５は、コンテンツ特定部１０４により特定されたコンテンツＩＤのコンテンツ情報をコンテンツ記憶部１２４から取得する（ステップＳ１３０６）。
【０１２５】
例えば、本日の日付が「９月１日（火）」である場合、コンテンツ特定部１０４は、コンテンツＩＤ「Ｃ００１」を特定する。したがって、コンテンツ取得部１０５は、コンテンツＩＤ「Ｃ００１」のコンテンツ情報をコンテンツ記憶部１２４から取得する。
【０１２６】
同様に、例えば、本日の日付が「９月２日（水）」である場合、コンテンツ特定部１０４は、コンテンツＩＤ「Ｃ００１」及び「Ｃ００２」を特定する。したがって、コンテンツ取得部１０５は、コンテンツＩＤ「Ｃ００１」のコンテンツ情報と、コンテンツＩＤ「Ｃ００２」のコンテンツ情報とをコンテンツ記憶部１２４から取得する。
【０１２７】
このように、本実施形態に係る管理サーバ１０は、作業端末３０で取得されたＡＲマーカＩＤに対応付けられたスケジュール情報に従ってコンテンツ情報を取得する。このため、本実施形態に係る作業支援システム１では、当該スケジュール情報に基づいて、点検作業日に応じたコンテンツ情報が取得される。
【０１２８】
次に、管理サーバ１０のコンテンツ取得部１０５は、コンテンツ記憶部１２４からコンテンツ情報を取得すると、取得したコンテンツ情報を作業端末３０に送信する（ステップＳ１３０７）。
【０１２９】
続いて、作業端末３０の表示制御部３０２は、管理サーバ１０からコンテンツ情報を受信すると、当該コンテンツ情報に基づくコンテンツを撮像画像に重畳表示させる（ステップＳ１３０８）。すなわち、表示制御部３０２は、受信したコンテンツ情報に含まれる表示対象コンテンツを、当該表示対象コンテンツの表示位置により示される座標（ＡＲマーカの位置座標からの相対座標）に表示させることで、コンテンツを撮像画像に重畳表示させる。
【０１３０】
ここで、本実施形態に係る作業端末３０において、撮像画像に重畳表示されるコンテンツについて、図１４を参照しながら説明する。図１４は、表示されるコンテンツの一例を示す図である。
【０１３１】
図１４（ａ）は、本日の点検作業の作業区分が「日次」である場合において重畳表示されるコンテンツを示している。この場合、管理サーバ１０では、コンテンツ取得部１０５によりコンテンツＩＤ「Ｃ００１」のコンテンツ情報が取得される。したがって、作業端末３０の表示装置３２には、コンテンツＩＤ「Ｃ００１」のコンテンツ情報に基づくコンテンツ４１１及び４１２を撮像画像に重畳させた重畳画像４０１が表示される。
【０１３２】
図１４（ｂ）は、本日の点検作業の作業区分が「週次」である場合において重畳表示されるコンテンツを示している。この場合、管理サーバ１０では、コンテンツ取得部１０５によりコンテンツＩＤ「Ｃ００２」のコンテンツ情報が取得される。したがって、作業端末３０の表示装置３２には、コンテンツＩＤ「Ｃ００２」のコンテンツ情報に基づくコンテンツ５１１及び５１２を撮像画像に重畳させた重畳画像５０１が表示される。
【０１３３】
図１４（ｃ）は、本日の点検作業の作業区分が「日次」及び「週次」である場合において重畳表示されるコンテンツを示している。この場合、管理サーバ１０では、コンテンツ取得部１０５により、コンテンツＩＤ「Ｃ００１」のコンテンツ情報と、コンテンツＩＤ「Ｃ００２」のコンテンツ情報とが取得される。したがって、作業端末３０の表示装置３２には、コンテンツＩＤ「Ｃ００１」のコンテンツ情報に基づくコンテンツ４１１及び４１２と、コンテンツＩＤ「Ｃ００２」のコンテンツ情報に基づくコンテンツ５１１及び５１２とを撮像画像に重畳させた重畳画像６０１が表示される。
【０１３４】
このように、本実施形態に係る作業支援システム１では、同日に複数の作業区分の点検作業が行われる場合には、それぞれの作業区分の点検作業において重畳表示させるコンテンツを表示させる。これにより、本実施形態に係る作業支援システム１では、例えば、同日に日次の点検作業と週次の点検作業とが実施される場合には、日次の点検作業を支援するための第一のコンテンツと、月次の点検作業を支援するための第二のコンテンツとを重畳表示させることができる。
【０１３５】
このため、作業担当者等であるユーザＷは、例えば、日次点検と週次点検とを効率的に実施することができるようになる。
【０１３６】
（第二の実施形態）
次に、第二の実施形態に係る作業支援システム１について説明する。第二の実施形態では、同日に複数の作業区分の点検作業が行われる場合には、それぞれの作業区分の点検作業において重畳表示させるコンテンツとは異なるコンテンツを表示させる点が第一の実施形態と異なる。
【０１３７】
すなわち、第二の実施形態では、例えば、日次の点検作業と週次の点検作業とが同日に実施される場合に、日次の点検作業を支援するための第一のコンテンツと、週次の点検作業を支援するための第二のコンテンツとは異なる第三のコンテンツを表示させるものである。
【０１３８】
なお、以降の本実施形態の説明では、第一の実施形態との相違点について主に説明し、第一の実施形態と同様の機能構成を有する箇所及び同様の処理を行う箇所には、第一の実施形態と同様の符号を付与し、その説明を省略する。
【０１３９】
まず、第二の実施形態に係る作業支援システム１の機能構成について、図１６を参照しながら説明する。図１５は、第二の実施形態に係る作業支援システムの機能構成の一例を示す図である。
【０１４０】
第二の実施形態に係る管理サーバ１０は、スケジュール作成処理部１０２Ａを有する。また、第二の実施形態に係る管理サーバ１０は、作業区分記憶部１２２Ａを有する。
【０１４１】
スケジュール作成処理部１０２Ａは、区分判定部１１１を有しない。また、スケジュール作成処理部１０２は、コンテンツＩＤ取得部１１２Ａを有する。
【０１４２】
コンテンツＩＤ取得部１１２Ａは、作業区分記憶部１２２Ａに記憶されている作業区分情報を参照して、作業予定情報に含まれる日付毎に、当該日付に設定されている作業区分に対応するコンテンツＩＤを取得する。
【０１４３】
ここで、作業区分記憶部１２２Ａに記憶される作業区分情報の詳細について、図１６を参照しながら説明する。図１６は、作業区分情報の構成の他の例を示す図である。
【０１４４】
作業区分記憶部１２２Ａに記憶される作業区分情報のデータ項目は、第一の実施形態に係る作業区分情報と同様であるが、第二の実施形態に係る作業区分情報には、作業区分のすべての組合せに対してコンテンツＩＤが対応付けられている。
【０１４５】
すなわち、第二の実施形態に係る作業区分情報には、作業区分「日次」、「週次」、「月次」に加えて、これらの作業区分のすべての組合せに対してコンテンツＩＤが対応付けられている。
【０１４６】
例えば、図１６に示す作業区分情報では、作業区分「日次、週次」に、コンテンツＩＤ「Ｃ００４」が対応付けられている。同様に、図１６に示す作業区分情報では、作業区分「日次、月次」に、コンテンツＩＤ「Ｃ００５」が対応付けられている。
【０１４７】
次に、第二の実施形態に係るスケジュール情報の作成処理について、図１７を参照しながら説明する。図１７は、第二の実施形態に係るスケジュール情報の作成処理の一例を示すフローチャートである。なお、第二の実施形態に係る作業予定の登録処理は、第一の実施形態と同様であるため、その説明を省略する。また、以降では、第一の実施形態と同様に、図１０に示す作業予定情報２０００からスケジュール情報を作成する場合について説明する。
【０１４８】
ステップＳ１１０２において、作業予定情報２０００のＮ列目に作業予定が設定されていると判定された場合、コンテンツＩＤ取得部１１２Ａは、作業区分記憶部１２２Ａを参照して、作業区分に対応付けられたコンテンツＩＤを取得する（ステップＳ１７０１）。
【０１４９】
例えば、Ｎ＝２である場合、作業予定情報２０００の２列目には、作業区分「日次」及び「週次」が設定されている。したがって、コンテンツＩＤ取得部１１２Ａは、作業区分記憶部１２２Ａの作業区分情報において、当該「日次」及び「週次」を組み合わせた作業区分である作業区分「日次、週次」に対応付けられたコンテンツＩＤ「Ｃ００４」を取得する。
【０１５０】
同様に、例えば、Ｎ＝３０である場合、作業予定情報２０００の３０列目には、作業区分「日次」、「週次」、「月次」が設定されている。したがって、コンテンツＩＤ取得部１１２Ａは、作業区分記憶部１２２Ａの作業区分情報において、当該「日次」、「週次」、及び「月次」を組み合わせた作業区分である作業区分「日次、週次、月次」に対応付けられたコンテンツＩＤ「Ｃ００７」を取得する。
【０１５１】
以上により、本実施形態に係る管理サーバ１０では、作業予定情報２０００に基づいて、図１８に示すスケジュール情報２１１０が作成される。
【０１５２】
図１８に示すスケジュール情報２１１０では、例えば、作業予定情報２０００において作業区分「日次」及び「週次」が設定されていた日付には、コンテンツＩＤ「Ｃ００４」が設定されている。同様に、図１８に示すスケジュール情報２１１０では、例えば、作業予定情報２０００において、作業区分「日次」、「週次」、及び「月次」が設定されていた日付には、コンテンツＩＤ「Ｃ００７」が設定されている。
【０１５３】
このように、図１８に示すスケジュール情報２１１０は、作業予定情報２０００において複数の作業区分が設定されていた日付に、当該複数の作業区分の組み合わせた作業区分に対応するコンテンツＩＤを設定したものである。
【０１５４】
これにより、第二の実施形態に係る作業支援システム１では、同日に複数の作業区分の点検を実施する場合に、それぞれの作業区分の点検作業を支援するためのコンテンツとは異なるコンテンツを重畳表示させることができる。
【０１５５】
ここで、第二の実施形態に係る作業端末３０において、コンテンツの表示処理で撮像画像に重畳表示されるコンテンツについて、図１９を参照しながら説明する。図１９は、表示されるコンテンツの他の例を示す図である。
【０１５６】
図１９は、本日の点検作業の作業区分が「日次」及び「週次」である場合において重畳表示されるコンテンツを示している。この場合、管理サーバ１０では、管理サーバ１０では、コンテンツ取得部１０５によりコンテンツＩＤ「Ｃ００４」のコンテンツ情報が取得される。したがって、作業端末３０の表示装置３２には、コンテンツＩＤ「Ｃ００４」のコンテンツ情報に基づくコンテンツ８０１〜８０６を撮像画像に重畳させた撮像画像７０１が表示される。
【０１５７】
このように、第二の実施形態に係る作業端末３０では、例えば、本日の点検作業の作業区分が「日次」及び「週次」である場合、作業区分「日次、週次」に対応するコンテンツＩＤ「Ｃ００４」のコンテンツを重畳表示させることができる。
【０１５８】
このため、複数の作業区分の点検作業を同日に行う際に異なる点検手順となる場合や異なる情報を表示させる必要がある場合等に、適切なコンテンツを作業端末３０に表示させることができるようになる。
【０１５９】
以上、本発明の実施形態について詳述したが、本発明は斯かる特定の実施形態に限定されるものではなく、特許請求の範囲に記載された本発明の要旨の範囲内において、種々の変形・変更が可能である。
【０１６０】
以上の説明に関し、更に以下の項を開示する。
（付記１）
重畳表示する対象のコンテンツを時間の変化に応じて変更するスケジュールを、特定の基準物の識別情報に対応付けて第１の記憶部に記憶する処理を受け付け、
撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、
特定した該コンテンツを前記撮像画像に重畳する対象のコンテンツとして、コンテンツを記憶する第２の記憶部から読み出して出力する、
処理をコンピュータに実行させることを特徴とする重畳表示する対象のコンテンツ制御プログラム。
（付記２）
前記スケジュールは、重畳表示する対象のコンテンツを所定の時間又は所定の日数で変更するスケジュールを含む、ことを特徴とする付記１に記載のコンテンツ制御プログラム。
（付記３）
前記コンテンツは、点検対象の設備に関する画像であり、
前記スケジュールは、１又は複数のコンテンツを含む第１のコンテンツ群を重畳表示の対象のコンテンツとする時間又は日と、前記第１のコンテンツ群に含まれない１又は複数のコンテンツを含む第２のコンテンツ群を重畳表示させる対象のコンテンツとする時間又は日とを含む、ことを特徴とする付記１に記載のコンテンツ制御プログラム。
（付記４）
前記スケジュールは、前記第１のコンテンツ群及び前記第２のコンテンツ群に含まれない１又は複数のコンテンツを含む第３のコンテンツ群を重畳表示させる対象のコンテンツとする時間又は日を含む、ことを特徴とする付記３に記載のコンテンツ制御プログラム。
（付記５）
重畳表示する対象のコンテンツを時間の変化に応じて変更するスケジュールを、特定の基準物の識別情報に対応付けて第１の記憶部に記憶する処理を受け付け、
撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、
特定した該コンテンツを前記撮像画像に重畳する対象のコンテンツとして、コンテンツを記憶する第２の記憶部から読み出して出力する、
処理をコンピュータが実行することを特徴とする重畳表示する対象のコンテンツ制御方法。
（付記６）
前記スケジュールは、重畳表示する対象のコンテンツを所定の時間又は所定の日数で変更するスケジュールを含む、ことを特徴とする付記５に記載のコンテンツ制御方法。
（付記７）
前記コンテンツは、点検対象の設備に関する画像であり、
前記スケジュールは、１又は複数のコンテンツを含む第１のコンテンツ群を重畳表示の対象のコンテンツとする時間又は日と、前記第１のコンテンツ群に含まれない１又は複数のコンテンツを含む第２のコンテンツ群を重畳表示させる対象のコンテンツとする時間又は日とを含む、ことを特徴とする付記５に記載のコンテンツ制御方法。
（付記８）
前記スケジュールは、前記第１のコンテンツ群及び前記第２のコンテンツ群に含まれない１又は複数のコンテンツを含む第３のコンテンツ群を重畳表示させる対象のコンテンツとする時間又は日を含む、ことを特徴とする付記７に記載のコンテンツ制御方法。
（付記９）
重畳表示する対象のコンテンツを時間の変化に応じて変更するスケジュールを、特定の基準物の識別情報に対応付けて第１の記憶部に記憶する処理を受け付け、
撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、
特定した該コンテンツを前記撮像画像に重畳する対象のコンテンツとして、コンテンツを記憶する第２の記憶部から読み出して出力する、
処理を実行することを特徴とする重畳表示する対象のコンテンツ制御装置。
（付記１０）
前記スケジュールは、重畳表示する対象のコンテンツを所定の時間又は所定の日数で変更するスケジュールを含む、ことを特徴とする付記９に記載のコンテンツ制御装置。
（付記１１）
前記コンテンツは、点検対象の設備に関する画像であり、
前記スケジュールは、１又は複数のコンテンツを含む第１のコンテンツ群を重畳表示の対象のコンテンツとする時間又は日と、前記第１のコンテンツ群に含まれない１又は複数のコンテンツを含む第２のコンテンツ群を重畳表示させる対象のコンテンツとする時間又は日とを含む、ことを特徴とする付記９に記載のコンテンツ制御装置。
（付記１２）
前記スケジュールは、前記第１のコンテンツ群及び前記第２のコンテンツ群に含まれない１又は複数のコンテンツを含む第３のコンテンツ群を重畳表示させる対象のコンテンツとする時間又は日を含む、ことを特徴とする付記１１に記載のコンテンツ制御装置。
（付記１３）
コンテンツ表示装置であって、
カメラと、
重畳表示する対象のコンテンツを時間の変化に応じて変更するスケジュールを、特定の基準物の識別情報に対応付けて第１の記憶部に記憶する処理を受け付け、撮像画像から検出した基準物の識別情報が前記特定の基準物の識別情報であることを検出すると、該特定の基準物の識別情報に対応付けて前記第１の記憶部に記憶された前記スケジュールに従って、対象となる時間に重畳表示する対象のコンテンツを特定し、特定した該コンテンツを前記撮像画像に重畳する対象のコンテンツとして、コンテンツを記憶する第２の記憶部から読み出して出力する、処理を実行するサーバに、前記カメラが撮像した画像を送信する送信部と、
前記サーバから前記コンテンツを受信して、前記撮像画像に前記コンテンツを重畳させた画像を表示するディスプレイと、
を有することを特徴とするコンテンツ表示装置。
【符号の説明】
【０１６１】
１０      管理サーバ
２０      登録端末
３０      作業端末
４０      支援プログラム
５０      登録プログラム
６０      表示制御プログラム
１０１    登録部
１０２    スケジュール作成処理部
１０３    スケジュール取得部
１０４    コンテンツ特定部
１０５    コンテンツ取得部
１１１    区分判定部
１１２    コンテンツＩＤ取得部
１１３    スケジュール作成部
１２１    作業予定記憶部
１２２    作業区分記憶部
１２３    スケジュール記憶部
１２４    コンテンツ記憶部
２０１    作成部
２０２    登録要求部
３０１    カメラ制御部
３０２    表示制御部
３０３    マーカ検出部
３０４    情報取得部
３０５    取得要求部
【図１】
2017117115.tif 000003
【図２】
2017117115.tif 000004
【図３】
2017117115.tif 000005
【図４】
2017117115.tif 000006
【図５】
2017117115.tif 000007
【図６】
2017117115.tif 000008
【図７】
2017117115.tif 000009
【図８】
2017117115.tif 000010
【図９】
2017117115.tif 000011
【図１０】
2017117115.tif 000012
【図１１】
2017117115.tif 000013
【図１２】
2017117115.tif 000014
【図１３】
2017117115.tif 000015
【図１４】
2017117115.tif 000016
【図１５】
2017117115.tif 000017
【図１６】
2017117115.tif 000018
【図１７】
2017117115.tif 000019
【図１８】
2017117115.tif 000020
【図１９】
2017117115.tif 000021